(57)【要約】【課題】  液晶装置等の電気光学装置において、相対的に輝度を高めつつ残像を低減する。【解決手段】  電気光学装置は、画像表示領域（１０ａ）に平面配列された複数の画素部（１０ｐ）と、駆動手段（１０１、１０４、１６０、１７０）とを備える。駆動手段は、画像信号（Ｓｉ）に応じた表示画像が画像表示領域に表示されるように且つ表示画像のフレーム周期の複数倍に相当する時間をかけて表示画像上に時分割でベタの黒画像が重ねて表示されるように、複数の画素部をアクティブマトリクス駆動する。【選択図】      図１
2005049775.tif 000002
【特許請求の範囲】
【請求項１】
画像表示領域に平面配列された複数の画素部と、
画像信号に応じた表示画像が前記画像表示領域に表示されるように且つ前記表示画像のフレーム周期の複数倍に相当する時間をかけて前記表示画像上に時分割でベタの黒画像が重ねて表示されるように前記複数の画素部をアクティブマトリクス駆動する駆動手段と
を備えたことを特徴とする電気光学装置。
【請求項２】
前記フレーム周期毎に表示される黒画像部分は、前記画像表示領域を縦方向及び横方向の少なくとも一方に所定数に分割した領域を単位領域として該単位領域の一又は複数からなる所定パターンの領域に表示されることを特徴とする請求項１に記載の電気光学装置。
【請求項３】
前記単位領域は、縦横について固定又は可変に設定可能であることを特徴とする請求項２に記載の電気光学装置。
【請求項４】
前記駆動手段は、
前記画像信号に基づいて前記複数の画素部を、前記複数の画素部に接続された信号線を介してアクティブマトリクス駆動する信号線駆動手段と、
該信号線駆動手段に供給される前に、前記時分割で前記黒画像が表示されるように前記画像信号の一部を前記黒画像に対応する黒信号成分で置き換えるか又は前記画像信号の一部に前記黒信号成分を挿入する信号処理手段と
を備えたことを特徴とする請求項１に記載の電気光学装置。
【請求項５】
前記信号処理手段は、前記電気光学装置の基板に対して後付けされる外部回路からなることを特徴とする請求項４に記載の電気光学装置。
【請求項６】
前記黒信号成分は、前記表示画像として黒表示する際の電圧から灰色表示する際の電圧までの範囲内の電圧に相当することを特徴とする請求項４又は５に記載の電気光学装置。
【請求項７】
前記黒信号成分は、前記表示画像として黒表示する際の電圧から灰色表示する際の電圧までの範囲外の電圧に相当することを特徴とする請求項４又は５に記載の電気光学装置。
【請求項８】
前記駆動手段は、所定方向に延びるライン状の領域内に配列された前記複数の画素部の一部からなるライン状配列に対応して表示される一又は複数の黒ラインを前記所定方向に交わる走査方向に走査させることで前記黒画像を表示させるようにアクティブマトリクス駆動することを特徴とする請求項１から７のいずれか一項に記載の電気光学装置。
【請求項９】
前記駆動手段は、前記走査方向として前記画像表示領域における横方向、縦方向又は斜め方向に前記黒ラインを走査させることで前記黒画像を表示させるようにアクティブマトリクス駆動することを特徴とする請求項８に記載の電気光学装置。
【請求項１０】
前記駆動手段は、前記走査方向として双方向に前記黒ラインを走査させることで前記黒画像を表示させるようにアクティブマトリクス駆動することを特徴とする請求項８又は９記載の電気光学装置。
【請求項１１】
前記駆動手段は、第１所定方向に延びるライン状の領域内に配列された前記複数の画素部に表示される一又は複数の黒ラインを前記第１所定方向に交わる第１走査方向に走査させると共に、前記第１所定方向とは異なる第２所定方向に延びるライン状の領域内に表示される一又は複数の黒ラインを前記第２所定方向に交わる第２走査方向に走査させることで前記黒画像を表示させるようにアクティブマトリクス駆動することを特徴とする請求項１から７のいずれか一項に記載の電気光学装置。
【請求項１２】
画像表示領域に平面配列された複数の画素部を備えた電気光学装置を駆動する電気光学装置の駆動回路であって、
画像信号に応じた表示画像が前記画像表示領域に表示されるように前記複数の画素部を、該画像信号に基づいて前記複数の画素部に接続された信号線を介してアクティブマトリクス駆動する信号線駆動手段と、
前記信号線駆動手段に供給される前に、前記表示画像のフレーム周期の複数倍に相当する時間をかけて前記表示画像上に時分割でベタの黒画像が重ねて表示されるように、前記画像信号の一部を前記黒画像に対応する黒信号成分で置き換えるか又は前記画像信号の一部に前記黒信号成分を挿入する信号処理手段と
を備えたことを特徴とする電気光学装置の駆動回路。
【請求項１３】
画像表示領域に平面配列された複数の画素部と、画像信号に応じた表示画像が前記画像表示領域に表示されるように該画像信号に基づいて前記複数の画素部をアクティブマトリクス駆動する駆動手段とを備えた電気光学装置に対して、前記画像信号を供給する画像信号生成装置であって、
前記表示画像のフレーム周期の複数倍に相当する時間をかけて前記表示画像上に時分割でベタの黒画像が重ねて表示されるように前記画像信号の一部を前記黒画像に対応する黒信号成分で置き換えるか又は前記画像信号の一部に前記黒信号成分を挿入する信号処理手段と、
該信号処理手段により置き換え又は挿入処理が施された後における前記画像信号を前記電気光学装置に対して供給する供給手段と
を備えたことを特徴とする画像信号生成装置。
【請求項１４】
画像表示領域に平面配列された複数の画素部を備えた電気光学装置を駆動する電気光学装置の駆動方法であって、
画像信号に応じた表示画像が前記画像表示領域に表示されるように前記複数の画素部を、該画像信号に基づいて前記複数の画素部に接続された信号線を介してアクティブマトリクス駆動する信号線駆動工程と、
該信号線駆動工程の前に、前記表示画像のフレーム周期の複数倍に相当する時間をかけて前記表示画像上に時分割でベタの黒画像が重ねて表示されるように、前記画像信号の一部を前記黒画像に対応する黒信号成分で置き換えるか又は前記画像信号の一部に前記黒信号成分を挿入する信号処理工程と
を備えたことを特徴とする電気光学装置の駆動方法。
【請求項１５】
請求項１から１１のいずれか一項に記載の前記電気光学装置を備えたことを特徴とする電子機器。
【発明の詳細な説明】
【技術分野】
【０００１】
本発明は、例えば電流駆動型の液晶装置、有機ＥＬ（Electro-Luminescence）装置等の電気光学装置、該電気光学装置に備えられる駆動回路、該電気光学装置に画像信号を提供する画像信号生成装置、及び該電気光学装置を備えてなる例えば液晶プロジェクタ、携帯電話等の電子機器の技術分野に属する。
【背景技術】
【０００２】
例えば電流駆動型の液晶装置、有機ＥＬ装置等のホールドモードで表示を行う電気光学装置では、ＣＲＴ（Cathode Ray Tube）の如きインパルスモードで表示を行う表示装置と比べて、動画表示時における人間の視覚上の残像が顕著に見られる。このため、係る残像を低減するために、電気光学装置を駆動する駆動波形に手を加えることで、擬似的にインパルスモードにする技術がある（特許文献１及び２参照）。具体的には、例えば画像信号における一フレームの表示期間から次フレームの表示期間までの間に、画像表示領域の全域にベタの黒画像を表示することで、動画表示時における残像を低減する。
【０００３】
【特許文献１】特開平９−１２７９１７号公報
【特許文献２】特開平１１−１０９９２１号公報
【発明の開示】
【発明が解決しようとする課題】
【０００４】
しかしながら、上述した擬似的なインパルスモードによる表示の如く、フレーム間にベタの黒画像を挿入する技術によれば、特に電流駆動型の液晶パネルや有機ＥＬパネルでは、その画像表示領域の全域を黒状態にするまでに、かなりの時間がかかる。このため、黒画像も含めた時間平均値として人間の視覚で感じられる輝度は、当該黒画像の表示周期に応じて低下してしまう。更に、黒画像を挿入する際に挿入時間を長く入れないと擬似的なインパルスモードにする効果が出てこないので、仮に電流駆動型の液晶パネルや有機ＥＬパネルの全域を黒状態にするまでの時間短縮を図ったとしても、フレーム間でのベタの黒画像の挿入では結局のところ残像を有効に低減するためには、輝度を犠牲にせざるを得ないという技術的問題点がある。
【０００５】
本発明は、例えば上記問題点に鑑み成されたものであり、相対的に輝度を高めつつ残像を低減することを可能ならしめる電気光学装置、該電気光学装置に備えられる駆動回路及び方法、該電気光学装置に画像信号を提供する画像信号生成装置、及び該電気光学装置を備えてなる各種電子機器を提供することを課題とする。
【課題を解決するための手段】
【０００６】
本発明の電気光学装置は上記課題を解決するために、画像表示領域に平面配列された複数の画素部と、画像信号に応じた表示画像が前記画像表示領域に表示されるように且つ前記表示画像のフレーム周期の複数倍に相当する時間をかけて前記表示画像上に時分割でベタの黒画像が重ねて表示されるように前記複数の画素部をアクティブマトリクス駆動する駆動手段とを備える。
【０００７】
本発明の電気光学装置によれば、その動作時には、駆動手段により、複数の画素部は駆動され、画像表示領域に画像信号に応じた表示画像が表示される。本発明に係る画素部は例えば、電流駆動型の液晶パネル、有機ＥＬパネル等の画素部からなり、ホールドモードによる表示を行う。但し、電流駆動型に限らず、電圧駆動型でもよい。
【０００８】
このような駆動の際に特に、表示画像のフレーム周期の複数倍に相当する時間をかけて表示画像上に時分割でベタの黒画像が重ねて表示される。以下では、この「複数倍」を適宜“Ｎ倍”（但し、Ｎは自然数）と称する。言い換えれば、フレーム周期のＮ回分の時間で、表示画像の全域に時分割でベタの黒画像を完成させる、或いは、フレーム画像をＮ回表示することで、表示画像の全域に時分割でベタの黒画像を完成させることになる。
【０００９】
尚、本発明に係る「黒画像」とは、画像表示領域に表示可能な最も暗い画像や黒色画像のみならず、例えばダークグレーやグレーなど、残像を低減し得る限りにおいて平均的な明るさより暗い画像であればよい趣旨である。更に本発明に係る「ベタ」とは、完全なベタの他、何らかのコンテンツを意味する動画や静止画等の表示画像とは無関係であって特に意味を持たない一様な状態をいい、残像を低減し得る限りにおいて、多少の斑や模様があってもかまわない趣旨である。
【００１０】
具体的には、１回目のフレーム周期には、表示画像上に、例えば画像表示領域或いは有効画像表示領域を１／Ｎに等分に又は不等分に分割した、画像表示領域の一部のみに例えば黒ライン等として黒画像が表示され、２回目のフレーム周期には、表示画像上に、画像表示領域の他の一部のみに例えば黒ライン等として黒画像が表示される。そして、このような表示動作が繰り返されて、Ｎ回目のフレーム周期には、表示画像上に、画像表示領域の残りの一部のみに例えば黒ライン等として黒画像が表示される。これらの結果、Ｎ回のフレーム周期に相当する時間をかけて、例えば複数の黒ラインの合算として、表示画像上に時分割でベタの黒画像が重ねて表示されることになる。すると、例えばフレーム周期として１／６０秒など、短時間に一部のみに例えば黒ライン等として表示される黒画像部分は、いずれのフレーム周期においても人間の視覚上は認識されない。しかるに、Ｎ回のフレーム周期に相当する時間のうち、いずれかのフレーム周期において各画素部には、黒画像が１フレームの周期に亘って表示されている。即ち、前述した背景技術の如きフレームとフレームとの間に黒画像を表示する場合と比べて、黒表示を行う各画素部については、遥かに時間的な余裕を持って黒状態にすることができる。従って、各画素部についてみれば、良好に黒表示された画像の存在によって、残像を顕著に低減することができる。このような残像を低減する作用は、Ｎ回のフレーム周期に相当する時間をかけて、表示画像の全体、即ち画像表示領域或いは有効画像表示領域の全域に行き渡ることになるので、結局、表示画像の全体について、残像が極めて効果的に低減されることになる。
【００１１】
しかも、各画素部についてみれば、１／Ｎの割合で、輝度が低下するに過ぎないので、必要とされる輝度に応じてＮを設定すれば、輝度の低下についても殆ど視覚上目立たないようにできる。
【００１２】
以上の結果、本発明の電気光学装置によれば、輝度の低減を抑えつつ或いは相対的に輝度を高めつつ、残像を低減することが可能となる。特に、電流駆動型の液晶装置や有機ＥＬ装置の場合には、各画素部を黒状態にするまでに時間がかかるので、フレーム間の僅かな時間では良好な黒状態を得るのが困難である。しかるに、本発明のようにフレーム周期そのものを利用して黒状態にするので、電流駆動型の液晶装置や有機ＥＬ装置の場合であっても、良好な黒状態を得ることができ、残像を適切に低減可能となる。そして、相対的に残像が顕著であるホールドモード型の表示動作を行っても、即ち、液晶装置等の場合であっても当該残像を低減できる。
【００１３】
また、黒画像を表示画像に挿入する方式として、前記駆動手段は、フレーム周期毎に表示画像における黒画像が重ねて表示される部分を間引いて該間引いた部分を黒画像で置き換えるように、複数の画素部をアクティブマトリクス駆動するように構成されてもよい。或いは、駆動手段は、フレーム周期毎に表示画像における黒画像が重ねて表示される部分を境に分割して該境に黒画像を挿入するように、複数の画素部をアクティブマトリクス駆動するように構成してもよい。いずれの場合であっても、上述の如き残像を低減しつつ輝度低下を抑制する本発明独自の効果が得られる。
【００１４】
加えて、黒画像は、表示画像を構成する、連続するフレーム画像の全てに対して連続的に挿入してもよい。或いは、連続するフレーム画像のうち一つおき或いは二つおきなど、間欠的に挿入してもよい。いずれにせよ、最終的にＮ回のフレーム周期で、表示画像の全体に時分割で一枚のベタの黒画像を表示すればよい。また、時分割で一枚のベタの黒画像を表示する際には、任意の一画素部については、１回だけ黒画像を表示すれば足りるが、一部の画素部について重複して、或いは２回又はそれ以上の回数だけ黒画像を表示するようにしても、相応の効果は得られる。更に、画像表示領域或いは有効画像表示領域を構成する全ての画素部について、このような黒画像の表示を行わせるのが、残像を低減する効果を最大限に高めるためには望ましいが、例えば画像表示領域の縁付近など、一部の領域にある若しくは規則的又は不規則に離散した複数の画素部について、上述の如く残像低減用に黒画像の表示を行わせなくても、相応の効果は得られる。
【００１５】
本発明の電気光学装置の一態様では、前記フレーム周期毎に表示される黒画像部分は、前記画像表示領域を縦方向及び横方向の少なくとも一方に所定数に分割した領域を単位領域として該単位領域の一又は複数からなる所定パターンの領域に表示される。
【００１６】
この態様によれば、例えば一列の画素部からなる縦ラインや一行の画素部からなる横ライン若しくはこれらの縦ライン及び横ラインを含む十字型又はＬ字型等である、一又は複数の画素部からなる所定パターンの領域に、黒画像部分は、フレーム周期毎に表示される。そして、フレーム周期の切り替わる都度に、このような黒画像部分が表示される領域は順次切替えられ、又は不規則に切替えられ、Ｎ回のフレーム周期に相当する時間をかけて、画像表示領域の全域に、時分割でベタの黒画像を表示したことになる。これにより、視覚上の残像を低減できる。
【００１７】
この態様では、前記単位領域は、縦横について固定又は可変に設定可能であるように構成してもよい。
【００１８】
このように構成すれば、縦横について例えば、一列の画素部からなる縦ラインのみや二行の画素部のみからなる横ラインのように単位領域を固定すれば、所定パターンの黒画像部分は、フレーム周期の切り替わる都度に、例えば黒ラインが単純にその伸延方向に交わる方向に移動するというように、又は例えば黒ラインがあちこちに表示されるというように、そのパターン形状を変えることなく移動する。或いは、単位領域を可変にすれば、黒画像部分は、フレーム周期の切り替わる都度に、例えば黒ラインが太さを変えながらその伸延方向に交わる方向に移動するというように、そのパターン形状を変えながら移動する。更に、表示画像の種類に応じて又は電気光学装置の機種等に応じて、単位領域の縦横を決定して、一連の表示画像を表示する際や同一機種による表示の際には、これを固定するようにしてもよい。いずれの場合でも、Ｎ回のフレーム周期に相当する時間をかけて、画像表示領域の全域に、時分割でベタの黒画像を表示したことになり、視覚上の残像を低減できる。
【００１９】
本発明の電気光学装置の他の態様では、前記駆動手段は、前記画像信号に基づいて前記複数の画素部を、前記複数の画素部に接続された信号線を介してアクティブマトリクス駆動する信号線駆動手段と、該信号線駆動手段に供給される前に、前記時分割で前記黒画像が表示されるように前記画像信号の一部を前記黒画像に対応する黒信号成分で置き換えるか又は前記画像信号の一部に前記黒信号成分を挿入する信号処理手段とを備える。
【００２０】
この態様によれば、信号処理手段は、時分割で黒画像が表示されるように、画像信号の一部を黒画像に対応する黒信号成分で置き換える。又は、画像信号の一部に黒信号成分を挿入する。その後、例えば走査線駆動回路やデータ線駆動回路の如き信号線駆動手段は、このように処理された画像信号に基づいて、複数の画素部をアクティブマトリクス駆動する。これらの結果、時分割で表示される黒画像の存在により視覚上の残像を低減しつつ、表示画像を表示できる。
【００２１】
この信号処理手段を備えた態様では、前記信号処理手段は、前記電気光学装置の基板に対して後付けされる外部回路からなるように構成してもよい。
【００２２】
このように構成すれば、例えば、外付ＩＣ回路内に信号処理手段を作り込むことで、本態様の構成を比較的容易に構築できる。特に、信号処理手段を除く、信号線駆動手段を含む電気光学装置部分については、普通に（即ち、黒画像の挿入と無関係に）アクティブマトリクス駆動を行うように構成されていれば足り、これに対して外部回路を取り付ければ本発明の構成が得られるので、非常に有利である。
【００２３】
この信号処理手段を備えた態様では、前記黒信号成分は、前記表示画像として黒表示する際の電圧から灰色表示する際の電圧までの範囲内の電圧に相当するように構成してもよい。
【００２４】
このように構成すれば、通常の（即ち、黒画像の挿入と無関係である）表示画像を表示する際に用いる電源や駆動機能の一部を利用して黒画像を表示できるので、信号線駆動手段を含む電気光学装置部分については、普通にアクティブマトリクス駆動を行うように構成されていれば足りる。このように比較的容易にして、残像を低減できる。
【００２５】
この信号処理手段を備えた態様では、前記黒信号成分は、前記表示画像として黒表示する際の電圧から灰色表示する際の電圧までの範囲外の電圧に相当するように構成してもよい。
【００２６】
このように構成しても、通常の表示画像を表示する際に用いる電源とは異なる電源や、通常の表示画像を表示する際に用いる駆動機能とは異なる駆動機能により黒画像を表示でき、これにより残像を低減できる。
【００２７】
本発明の電気光学装置の他の態様では、前記駆動手段は、所定方向に延びるライン状の領域内に配列された前記複数の画素部の一部からなるライン状配列に対応して表示される一又は複数の黒ラインを前記所定方向に交わる走査方向に走査させることで前記黒画像を表示させるようにアクティブマトリクス駆動する。
【００２８】
この態様によれば、表示画像上を一又は複数の黒ラインが走査方向に走査され、Ｎ回のフレーム周期に相当する時間をかけて、黒ラインの集合として表示画像上にベタの黒画像が表示される。この際、黒ラインの太さについては、画素部の一個分でもよく複数個分でもよい。また画像表示領域の面内で固定されていてもよく可変とされていてもよい。また一連の表示画像に対して固定されていてもよく可変とされていてもよい。更に同一機種の当該電気光学装置に対して固定されていてもよく、可変とされていてもよい。加えて、黒ラインが同時に複数表示される場合には、これらの黒ラインは、同一の走査方向に走査されてもよいし、相互に異なる走査方向に走査されてもよい。加えて、このような黒ラインの走査は、全てのフレームに亘って一様のスピードで行われてもよいし、可変のスピードで行われてもよいし、例えば、２フレームおきや３フレームおきに、黒ラインが出現してこれが走査されるなど、間欠的に行われてもよい。
【００２９】
この黒ラインの走査に係る態様では、前記駆動手段は、前記走査方向として前記画像表示領域における横方向、縦方向又は斜め方向に前記黒ラインを走査させることで前記黒画像を表示させるようにアクティブマトリクス駆動するように構成されてもよい。
【００３０】
このように構成すれば、黒ラインは、Ｎ回のフレーム周期に相当する時間をかけて、例えば左縁から右縁へ横方向に走査されたり、上縁から下縁へ縦方向に走査されたり、左上縁から右下縁へ斜め方向に走査される。これにより、表示画像の全域に対する走査が完了する。即ち、時分割によりベタの黒画像の表示画完了する。
【００３１】
この黒ラインの走査に係る態様では、前記駆動手段は、前記走査方向として双方向に前記黒ラインを走査させることで前記黒画像を表示させるようにアクティブマトリクス駆動するように構成してもよい。
【００３２】
このように構成すれば、黒ラインは、例えば左縁から右縁へ横方向に走査された後に右縁から左縁へ横方向に走査されたり、上縁から下縁へ縦方向に走査された後に下縁から上縁へ縦方向に走査されたり、左上縁から右下縁へ斜め方向に走査された後に右下縁から左上縁へ斜め方向に走査される。
【００３３】
或いは本発明の電気光学装置の他の態様では、前記駆動手段は、第１所定方向に延びるライン状の領域内に配列された前記複数の画素部に表示される一又は複数の黒ラインを前記第１所定方向に交わる第１走査方向に走査させると共に、前記第１所定方向とは異なる第２所定方向に延びるライン状の領域内に表示される一又は複数の黒ラインを前記第２所定方向に交わる第２走査方向に走査させることで前記黒画像を表示させるようにアクティブマトリクス駆動する。
【００３４】
この態様によれば、例えば、縦方向に延びる第１ライン状配列が横方向に走査されつつ、横方向に延びる第２ライン状配列が縦方向に走査されることで、見た目上は、黒色の十字パターン或いはＬ字パターンが斜めに移動して表示画像の全体が走査され、これによりベタの黒画像が時分割で表示されることになる。
【００３５】
尚、この態様において、駆動手段は、第１走査方向の走査速度と第２走査方向の走査速度とは相互から独立して設定可能となるようにアクティブマトリクス駆動してもよい。或いは、前記第１走査方向の走査速度と前記第２走査方向の走査速度とを相等しくするようにアクティブマトリクス駆動してもよい。
【００３６】
本発明の電気光学装置の駆動回路は上記課題を解決するために、画像表示領域に平面配列された複数の画素部を備えた電気光学装置を駆動する電気光学装置の駆動回路であって、画像信号に応じた表示画像が前記画像表示領域に表示されるように前記複数の画素部を、該画像信号に基づいて前記複数の画素部に接続された信号線を介してアクティブマトリクス駆動する信号線駆動手段と、前記信号線駆動手段に供給される前に、前記表示画像のフレーム周期の複数倍に相当する時間をかけて前記表示画像上に時分割でベタの黒画像が重ねて表示されるように、前記画像信号の一部を前記黒画像に対応する黒信号成分で置き換えるか又は前記画像信号の一部に前記黒信号成分を挿入する信号処理手段とを備える。
【００３７】
本発明の電気光学装置の駆動回路によれば、信号処理手段は、時分割で黒画像が表示されるように、画像信号の一部を黒画像に対応する黒信号成分で置き換える。又は、画像信号の一部に黒信号成分を挿入する。その後、例えば走査線駆動回路やデータ線駆動回路の如き信号線駆動手段は、このように処理された画像信号に基づいて、複数の画素部をアクティブマトリクス駆動する。これらの結果、上述した本発明の電気光学装置の場合とほぼ同様に、輝度の低下を抑えつつ且つ視覚上の残像を低減しつつ、表示画像を表示できる。
【００３８】
本発明の画像信号生成装置は上記課題を解決するために、画像表示領域に平面配列された複数の画素部と、画像信号に応じた表示画像が前記画像表示領域に表示されるように該画像信号に基づいて前記複数の画素部をアクティブマトリクス駆動する駆動手段とを備えた電気光学装置に対して、前記画像信号を供給する画像信号生成装置であって、前記表示画像のフレーム周期の複数倍に相当する時間をかけて前記表示画像上に時分割でベタの黒画像が重ねて表示されるように前記画像信号の一部を前記黒画像に対応する黒信号成分で置き換えるか又は前記画像信号の一部に前記黒信号成分を挿入する信号処理手段と、該信号処理手段により置き換え又は挿入処理が施された後における前記画像信号を前記電気光学装置に対して供給する供給手段とを備える。
【００３９】
本発明の画像信号生成装置によれば、信号処理手段は、時分割で黒画像が表示されるように、画像信号の一部を黒画像に対応する黒信号成分で置き換える。又は、画像信号の一部に黒信号成分を挿入する。その後、供給手段は、係る処理が施された後の画像信号を電気光学装置に対して供給する。従って、例えば走査線駆動回路やデータ線駆動回路の如き駆動手段を備えた電気光学装置が、係る処理が施された後の画像信号に基づいて複数の画素部をアクティブマトリクス駆動すれば、上述した本発明の電気光学装置の場合とほぼ同様に、輝度の低下を抑えつつ且つ視覚上の残像を低減しつつ、表示画像を表示できる。
【００４０】
本発明の電気光学装置の駆動方法は上記課題を解決するために、画像表示領域に平面配列された複数の画素部を備えた電気光学装置を駆動する電気光学装置の駆動方法であって、画像信号に応じた表示画像が前記画像表示領域に表示されるように前記複数の画素部を、該画像信号に基づいて前記複数の画素部に接続された信号線を介してアクティブマトリクス駆動する信号線駆動工程と、該信号線駆動工程の前に、前記表示画像のフレーム周期の複数倍に相当する時間をかけて前記表示画像上に時分割でベタの黒画像が重ねて表示されるように、前記画像信号の一部を前記黒画像に対応する黒信号成分で置き換えるか又は前記画像信号の一部に前記黒信号成分を挿入する信号処理工程とを備える。
【００４１】
本発明の電気光学装置の駆動方法によれば、信号処理工程は、時分割で黒画像が表示されるように、画像信号の一部を黒画像に対応する黒信号成分で置き換える。又は、画像信号の一部に黒信号成分を挿入する。その後、例えば走査線駆動回路やデータ線駆動回路の如き信号線駆動工程は、このように処理された画像信号に基づいて、複数の画素部をアクティブマトリクス駆動する。これらの結果、上述した本発明の電気光学装置の場合とほぼ同様に、輝度の低下を抑えつつ且つ視覚上の残像を低減しつつ、表示画像を表示できる。
【００４２】
本発明の電子機器は上記課題を解決するために、上述した本発明の電気光学装置（但し、その各種態様も含む）を備える。
【００４３】
本発明の電子機器は、上述した本発明の電気光学装置を具備してなるので、輝度が相対的に高く且つ残像が低減された高品質の画像を表示可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置を実現することも可能である。
【発明を実施するための最良の形態】
【００４４】
以下、本発明の実施形態を図面に基づいて説明する。以下の実施形態は、本発明の電気光学装置を、ＴＦＴアクティブマトリクス駆動形式の液晶装置に適用したものである。
【００４５】
（電気光学装置の実施形態）
本発明に係る駆動回路及び画像信号生成装置を含んでなる、本発明に係る電気光学装置の実施形態について図１から図４を参照して説明する。
【００４６】
先ず図１及び図２を参照して電気光学装置の全体に係る構成及び動作について説明する。ここに図１は、電気光学装置のブロック図であり、図２は、そのうち電気光学パネルの画像表示領域を構成するマトリクス状に形成された複数の画素部における各種素子、配線等の等価回路である。
【００４７】
図１において、電気光学装置は、電気光学パネル１００Ｐ、走査線駆動回路１０４、データ線駆動回路１０１、パネル駆動回路１６０及び黒挿入制御回路１７０を備えており、映像ソース１８０から画像信号Ｓｉ及び同期信号Ｓｓが入力されるように構成されている。
【００４８】
複数の画素部１０ｐは、電気光学パネル１００Ｐの画像表示領域１０ａに、マトリクス状に平面配列されている。また、本発明に係る「駆動手段」の一例は、走査線駆動回路１０４、データ線駆動回路１０１、パネル駆動回路１６０及び黒挿入制御回路１７０から構成されている。更に詳細には、本発明に係る「信号線駆動手段」の一例が、走査線駆動回路１０４及びデータ線駆動回路１０１から構成されており、本発明に係る「信号処理手段」或いは「画像信号生成回路」の一例が、パネル駆動回路１６０及び黒挿入制御回路１７０から構成されている。
【００４９】
電気光学パネル１００Ｐは図２に示すように、複数の画素部に夫々、画素電極９ａと当該画素電極９ａをスイッチング制御するためのＴＦＴ３０とが形成されている。画像信号が供給されるデータ線６ａが、当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００５０】
また、ＴＦＴ３０のゲートにゲート電極が電気的に接続されており、所定のタイミングで、走査線３ａ及びゲート電極にパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００５１】
画素電極９ａを介して電気光学物質の一例としての液晶に書き込まれた所定レベルの画像信号Ｓ１、Ｓ２、…、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００５２】
ここで保持された画像信号がリークするのを防ぐために、画素電極９ａと対向電極との間に形成される液晶容量と並列に蓄積容量７０を付加する。この蓄積容量７０は、走査線３ａに並んで設けられ、固定電位側容量電極を含むとともに定電位に固定された容量電極３００を含んでいる。
【００５３】
再び図１において、走査線駆動回路１０４は、上述の如く走査信号Ｇ１、Ｇ２、…、Ｇｍを所定タイミングで走査線３ａに供給し（図２参照）、データ線駆動回路１０１は、上述の如く画像信号Ｓ１、Ｓ２、…、Ｓｎを所定タイミングでデータ線６ａに供給する（図２参照）。尚、データ線駆動回路１０１は例えば、画像信号線上に供給される画像信号Ｓ１、Ｓ２、…、Ｓｎをサンプリングするサンプリング回路と該サンプリング回路に対してサンプリングパルスを供給するシフトレジスタ等を含んで構成されている。
【００５４】
パネル駆動回路１６０は、例えばＤＶＤビデオプレーヤ、ビデオレコーダ、映像チューナ等の映像ソース１８０から入力される画像信号Ｓｉ及び同期信号Ｓｓに基づいて、走査線駆動回路１０４に対して、走査線駆動の基準となる、クロック信号（Ｙクロック）や反転クロック信号、走査開始の基準となるスタートパルス信号（Ｙスタートパルス）、電源信号等の各種信号Ｓｃを供給することで、走査線駆動回路１０４を駆動する。更に、データ線駆動回路１０１に対して、データ線駆動の基準となる、クロック信号（Ｘクロック）や反転クロック信号、走査開始の基準となるスタートパルス信号（Ｘスタートパルス）、例えばパラレル−シリアル展開されたデータ線６ａに供給される画像信号Ｓ１、Ｓ２、…、Ｓｎ（図２参照）、電源信号等の各種信号Ｓｄを供給することで、データ線駆動回路１０１を駆動するように構成されている。
【００５５】
黒挿入制御回路１７０は、映像ソース１８０から供給される同期信号Ｓｓに基づいて、画像信号Ｓｉにより表示される表示画像のフレーム周期のＮ倍（但し、Ｎは２以上の自然数）に相当する時間をかけて、画像表示領域１０ａの全域に、時分割でベタの黒画像が重ねて表示されるように、画像信号Ｓｉの一部を黒画像に対応する黒信号Ｓｂで置き換えるか又は画像信号Ｓｉの一部に黒信号Ｓｂを挿入するように構成されている。
【００５６】
次に図１及び図２に加えて図３及び図４を参照して、本実施形態の動作について説明する。ここに図３は、連続した４フレームで表示画像上に重ねて表示される黒画像の一例を、順を追って示す画像表示領域１０ａの図式的平面図である。また図４は、このような黒画像を挿入する際の、各ラインの画像信号Ｓ１、Ｓ２、…、Ｓｎの内容等を示すタイミングチャートである。
【００５７】
図３では、黒挿入制御回路１７０は、画像表示領域１０ａを４×４＝１６個のブロックに分割し、各ブロックを単位領域として縦黒ラインの走査及び横黒ラインの走査が夫々行われるように、黒信号Ｓｂを画像信号Ｓｉに挿入するように構成されている。尚、以下では、説明の便宜上、画像表示領域１０ａは、１６個の画素部からなる、即ち、一つのブロックが一つの画素部からなるものとして説明をするが、一つのブロックは夫々、例えば、相隣接する４個、８個、９個、１２個、１６個、…の画素部など、複数の画素部から構成されてもよい。即ち、黒ラインの太さに相当する画素部の個数については、所望の複数に設定可能である。
【００５８】
その動作時には、先ず図３（ａ）に示したように、１＋４ｍ（但し、ｍは自然数）フレームの時間帯では、縦黒ラインＬＹは、画像表示領域１０ａの左端に位置し、１＋４ｎ（但し、ｎは自然数）フレームの時間帯では、横黒ラインＬＸは、画像表示領域１０ａの上端に位置する。続いて図３（ｂ）に示したように、２＋４ｍフレームの時間帯では、縦黒ラインＬＹは、画像表示領域１０ａの左端から２列目に移動し、２＋４ｎフレームの期間内では、横黒ラインＬＸは、画像表示領域１０ａの上端から２行目に移動する。続いて図３（ｃ）に示したように、３＋４ｍフレームの期間内では、縦黒ラインＬＹは、画像表示領域１０ａの左端から３列目に移動し、３＋４ｎフレームの時間帯では、横黒ラインＬＸは、画像表示領域１０ａの上端から３行目に移動する。続いて図４（ｄ）に示したように、４＋４ｍフレームの期間内では、縦黒ラインＬＹは、画像表示領域１０ａの右端に移動し、４＋４ｎフレームの時間帯では、横黒ラインＬＸは、画像表示領域１０ａの下端に移動する。
【００５９】
図４に示したように、このような縦黒ラインＬＹ及び横黒ラインＬＸを表示するために、黒挿入制御回路１７０により黒信号Ｓｂが挿入されることで、次のような画像信号が、パネル駆動回路１６０からデータ線駆動回路１０１に対して供給される。尚、本実施形態では、走査線駆動回路１０４に供給される各種信号は、特に黒ラインの走査のために変更されることはない。
【００６０】
先ず、フレーム信号により規定される“１フレーム（即ち、１＋４ｎフレームにおいて、ｎ＝１の場合）”の期間内では、縦方向に伸びる左端の画素列（図３参照）である“ライン１”へ画像信号Ｓ１は、上から数えて１行目から４行目、即ち全行に当る画素部について黒レベルの信号（図４中では、“ライン１”について示された平坦なレベルの信号）に置き換えられている。これは、黒挿入制御回路１７０からの黒信号Ｓｂとしての、縦黒ラインＬＹの各フレームにおける横走査位置を示す縦制御信号及び横黒ラインＬＸの各フレームにおける縦走査位置を示す横制御信号に基づいて、パネル駆動回路１６０において、画像信号Ｓｉの一部が黒レベルの信号とされたものである。また、縦方向に伸びる左端から２番目の画素列（図３参照）である“ライン２”へ画像信号Ｓ２、縦方向に伸びる左端から３番目の画素列（図３参照）である“ライン３”へ画像信号Ｓ３、縦方向に伸びる左端から４番目即ち右端の画素列（図３参照）である“ライン４”へ画像信号Ｓ４は夫々、上から１行目に当る画素部について、黒レベルの信号とされており、その他の画素部について、画像信号Ｓｉに応じた表示画像を構成する画像信号レベルとされている。これについても、黒挿入制御回路１７０からの縦制御信号及び横制御信号に基づいて、画像信号Ｓｉの一部が黒レベルの信号とされたものである。これらにより、図３（ａ）に示したように、縦黒ラインＬＹ及び横黒ラインＬＸが表示される。
【００６１】
続いて、フレーム信号により規定される“２フレーム（即ち、２＋４ｎフレームにおいて、ｎ＝１の場合）”の期間内では、“ライン１”、“ライン３”及び“ライン４”への画像信号Ｓ１、Ｓ３及びＳ４は、上から２行目に当る画素部について黒レベルの信号とされており、その他の画素部について、画像信号Ｓｉに応じた表示画像を構成する画像信号レベルとされている。また、“ライン２”へ画像信号Ｓ２は、全行に当る画素部について黒レベルの信号とされている。これらにより、図３（ｂ）に示したように、縦黒ラインＬＹ及び横黒ラインＬＸが表示される。
【００６２】
続いて、フレーム信号により規定される“３フレーム（即ち、３＋４ｎフレームにおいて、ｎ＝１の場合）”の期間内では、“ライン１”、“ライン２”及び“ライン４”への画像信号Ｓ１、Ｓ２及びＳ４は、上から３行目に当る画素部について黒レベルの信号とされており、その他の画素部について、画像信号Ｓｉに応じた表示画像を構成する画像信号レベルとされている。また、“ライン３”へ画像信号Ｓ３は、全行に当る画素部について黒レベルの信号とされている。これらにより、図３（ｃ）に示したように、縦黒ラインＬＹ及び横黒ラインＬＸが表示される。
【００６３】
続いて、フレーム信号により規定される“４フレーム（即ち、４＋４ｎフレームにおいて、ｎ＝１の場合）”の期間内では、“ライン１”、“ライン２”及び“ライン３”への画像信号Ｓ１、Ｓ２及びＳ３は、上から４行目に当る画素部について黒レベルの信号とされており、その他の画素部について、画像信号Ｓｉに応じた表示画像を構成する画像信号レベルとされている。また、“ライン４”へ画像信号Ｓ４は、全行に当る画素部について黒レベルの信号とされている。これらにより、図３（ｄ）に示したように、縦黒ラインＬＹ及び横黒ラインＬＸが表示される。
【００６４】
続いて、フレーム信号により規定される“５フレーム（即ち、１＋４ｎフレームにおいて、ｎ＝１の場合）”の期間内では、“１フレーム”と同様の動作によって、再び図３（ａ）に示したように縦黒ラインＬＹ及び横黒ラインＬＸが表示される。
【００６５】
以上の結果、本実施形態によれば、表示画像のフレーム周期の４倍に相当する時間をかけて、縦黒ラインＬＹ及び横黒ラインＬＸが画像表示領域１０ａの全域を夫々走査することで、時分割でベタの黒画像が重ねて表示されることになる。見方を変えれば、黒色の十字パターン或いはＬ字パターンが斜めに移動することで、画像表示領域１０ａの全域が走査され、これによりベタの黒画像が時分割で表示されることになる。すると、例えばフレーム周期として１／６０秒など、短時間に例えば縦黒ラインＬＹ及び横黒ラインＬＸとして表示される黒画像部分は、いずれのフレーム周期においても人間の視覚上は認識されない。しかるに、Ｎ回のフレーム周期に相当する時間のうち、いずれかのフレーム周期において各画素部には、黒画像が１フレームの周期に亘って表示されている。従って、各画素部についてみれば、液晶が安定した後に良好に黒表示される黒画像の存在によって、残像を顕著に低減することができる。そして、フレーム周期の４倍に相当する時間をかけて、全ての画素部について、このように残像を低減することができるので、表示画像の全体或いは画像表示領域１０ａの全域について、残像が極めて効果的に低減されることになる。しかも、各画素部についてみれば、１／４の割合で、輝度が低下するに過ぎないので、必要とされる輝度に応じてＮを設定すれば、輝度の低下についても殆ど視覚上目立たないようにできる。
【００６６】
尚、黒挿入制御回路１７０やパネル駆動回路１６０は、走査線駆動回路１０４及びデータ線駆動回路１０１と共に電気光学パネル１００Ｐが作り込まれた基板１０に対して、後付けされる外付ＩＣ回路からなるように構成してもよい。このように構成すれば、走査線駆動回路１０４、データ線駆動回路１０１及び電気光学パネル１００Ｐについては、黒画像の挿入と無関係な普通の機種を使えば足り、これに対して、上述の如き黒ライン挿入機能を有する外付ＩＣ回路を取り付けることで、本実施形態における輝度低下を低減しつつ残像を低減するという独自の効果が比較的容易に得られるので、実践上大変有利である。加えて、上述の実施形態において、縦黒ラインＬＹ及び横黒ラインＬＸ（図３（ａ）〜図３（ｄ）参照）を構成する画素部の個数は、縦横で相異なってもよいし、更に縦横について夫々可変であってもよい。例えば、フレーム周期の切り替わる都度に、縦黒ラインＬＹ及び横黒ラインＬＸのうち少なくとも一方が太さを変えながら、その伸延方向に交わる方向に移動するというように、そのパターン形状を変えながら移動するように、黒挿入制御回路１７０によって黒信号Ｓｂを挿入してもよい。加えて、縦黒ラインＬＹの走査速度と横黒ラインＬＸの走査速度とは異なってもよい。
【００６７】
また、本実施形態では、黒ラインを表示させるために、画像信号Ｓｉを黒レベル信号で置き換える処理を行っているが（図４参照）、黒レベルに変えて、例えばグレーレベル信号で置き換えてグレーラインを表示させるように構成してもよい。
【００６８】
尚、本実施形態のように画像信号Ｓｉの階調レベルにある黒レベル信号を利用すれば、特別な電源や駆動機能が必要とならないので有利であるが、係る階調レベルの範囲外の特殊な黒レベル信号に置き換えてもよい。いずれの場合であっても、残像を低減できる。
【００６９】
（電気光学装置の変形形態）
次に、上述した電気光学装置の実施形態の変形形態について図５から図１０を参照して説明する。ここに図５から図１０は夫々、連続した複数フレームで表示画像上に重ねて表示される黒画像の一例を、順を追って示す画像表示領域１０ａの図式的平面図である。尚、以下に説明する変形形態は、黒挿入制御装置による黒信号Ｓｂの挿入方法に変更が加えられたものであり、その他の構成及び動作については、上述の実施形態の場合と同様である。
【００７０】
図５の変形形態では、１６ブロックに分割された画像表示領域を、横黒ラインが４フレームの時間をかけて上端から下端まで垂直走査する。これにより、４フレームの時間をかけて、表示画像の全域に黒画像が時分割で表示される。この場合、輝度の低下は、黒ラインを挿入しない場合と比較して、３／４となる。
【００７１】
図６の変形形態では、１６ブロックに分割された画像表示領域を、縦黒ラインが４フレームの時間をかけて左端から右端まで水平走査する。これにより、４フレームの時間をかけて、表示画像の全域に黒画像が時分割で表示される。この場合、輝度の低下は、黒ラインを挿入しない場合と比較して、３／４となる。
【００７２】
図７の変形形態では、１６ブロックに分割された画像表示領域を、斜めの黒ラインが７フレームの時間をかけて、左上端から右下端まで斜めに走査する。これにより、７フレームの時間をかけて、表示画像の全域に黒画像が時分割で表示される。この場合、輝度の低下は、黒ラインを挿入しない場合と比較して、６／７となる。
【００７３】
図８の変形形態では、１６ブロックに分割された画像表示領域を、複数の斜めの黒ラインが２フレームの時間をかけて、左上端から右下端まで斜めに移動する。これにより、２フレームの時間をかけて、表示画像の全域に黒画像が時分割で表示される。或いは本変形形態は、相補パターンをなす黒画像がフレーム周期で交互に切替えられて、２フレームの時間をかけて表示画像の全域に、黒画像が時分割で表示されるとも言える。いずれにせよ、この場合、輝度の低下は、黒ラインを挿入しない場合と比較して、１／２となる。
【００７４】
図９の変形形態では、図８の変形形態において、更に、黒画像を間欠的に挿入する形態である。即ち、複数の斜めの黒ラインが４フレームの時間をかけて、表示画像の全域をカバーするように左上端から右下端まで斜めに間欠的に移動する。これにより、４フレームの時間をかけて、表示画像の全域に重ねて黒画像を時分割で表示する。この場合、輝度の低下は、黒ラインを挿入しない場合と比較して、３／４となる。
【００７５】
このように図５から図９に示した各種変形形態によれば、黒ラインは、Ｎ回のフレーム周期に相当する時間をかけて走査され、これにより、表示画像の全域に対する走査が完了する。この際特に図５から図７の変形形態のように、１本の黒ラインを、所定方向に走査させてもよいし、図８の変形形態ように、複数本の黒ラインを、所定方向に走査させてもよく、更に図９の変形形態のように、このような走査或いは黒画像の表示を間欠的に行ってもよい。
【００７６】
図１０の変形形態では、画像表示領域は、２×２＝４ブロックに分割されて、各ブロックが、黒画像が時分割表示される際の単位領域とされる。本変形形態では、図１０（ａ）の如く上下の横黒ラインがフレーム毎に交互に表示されてもよいし、図１０（ｂ）の如く斜めの黒ラインがフレーム毎に交互に表示されてもよい。即ち、これらの場合には、Ｎ＝２であり、２フレームの時間をかけて、画像表示領域の全域に黒画像が時分割で表示されることになる。或いは、図１０（ｃ）の如く、Ｎ＝３で画像表示領域の全域に黒画像が時分割で表示されてもよいし、更に、図１０（ｄ）の如く、Ｎ＝４で画像表示領域の全域に黒画像が時分割で表示されてもよい。
【００７７】
尚、上述の如きＮの値としては、最低限“２”以上であれば、相応の効果が得られる。逆に、Ｎを余りに大きくしてしまうと、残像を低減する効果が低下するので、実際のＮの値としては、当該電気光学装置の特性、仕様、特に要求される輝度と画質等に応じて個別具体的に、実験的、試験的又は経験的に若しくは計算やシミュレーションによって決定すればよい。
【００７８】
〔電気光学装置の全体構成〕
以下では、前記の電気光学装置に係る実施形態の全体構成について、図１１及び図１２を参照して説明する。ここに、図１１は、ＴＦＴアレイ基板をその上に形成された各構成要素と共に対向基板の側から見た電気光学装置の平面図であり、図１２は、図１１のＨ−Ｈ’断面図である。ここでは、電気光学装置の一例である駆動回路内蔵型のＴＦＴアクティブマトリクス駆動方式の液晶装置を例にとる。
【００７９】
図１１及び図１２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００８０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００８１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。この額縁遮光膜５３より以遠の周辺領域のうち、シール材５２が配置されたシール領域の外側に位置する領域には特に、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。
【００８２】
また、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００８３】
図１２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００８４】
なお、図１１及び図１２に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００８５】
（電子機器）
次に、以上詳細に説明した電気光学装置をライトバルブとして用いた電子機器の一例たる投射型カラー表示装置の実施形態について、その全体構成、特に光学的な構成について説明する。ここに、図１３は、投射型カラー表示装置の図式的断面図である。
【００８６】
図１３において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。これらライトバルブ１００Ｒ、１００Ｇ及び１００Ｂには、前述した電気光学装置が用いられている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【００８７】
次に、上述した電気光学装置を、モバイル型のパーソナルコンピュータに適用した例について説明する。図１４は、このパーソナルコンピュータの構成を示す斜視図である。
【００８８】
図１４において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００８９】
更に上述した電気光学装置を、携帯電話に適用した例について説明する。図１５は、この携帯電話の構成を示す斜視図である。
【００９０】
図１５において、携帯電話１０４０は、複数の操作ボタン１３０２とともに、反射型の液晶パネル１００５を備えるものである。この反射型の液晶パネル１００５にあっては、必要に応じてその前面にフロントライトが設けられる。
【００９１】
尚、図１３〜図１５を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９２】
本発明は、上述した実施形態に限られるものではなく、請求の範囲及び明細書全体から読み取れる発明の要旨或いは思想に反しない範囲で適宜変更可能であり、そのような変更を伴う電気光学装置、駆動回路、画像信号生成装置及び電子機器もまた本発明の技術的範囲に含まれるものである。
【図面の簡単な説明】
【００９３】
【図１】本発明の実施形態に係る液晶装置の全体構成を示すブロック図である。
【図２】実施形態のうち電気光学パネルの画像表示領域を構成するマトリクス状に形成された複数の画素部における各種素子、配線等の等価回路である。
【図３】実施形態において、連続した４フレームで表示画像上に重ねて表示される黒画像の一例を、順を追って示す画像表示領域の図式的平面図である。
【図４】実施形態において、黒画像を挿入する際の、各ラインの画像信号Ｓ１、Ｓ２、…、Ｓｎの内容等を示すタイミングチャートである。
【図５】一の変形形態において、連続した複数フレームで表示画像上に重ねて表示される黒画像を、順を追って示す画像表示領域の図式的平面図である。
【図６】他の変形形態において、連続した複数フレームで表示画像上に重ねて表示される黒画像を、順を追って示す画像表示領域の図式的平面図である。
【図７】他の変形形態において、連続した複数フレームで表示画像上に重ねて表示される黒画像を、順を追って示す画像表示領域の図式的平面図である。
【図８】他の変形形態において、連続した複数フレームで表示画像上に重ねて表示される黒画像を、順を追って示す画像表示領域の図式的平面図である。
【図９】他の変形形態において、連続した複数フレームで表示画像上に重ねて表示される黒画像を、順を追って示す画像表示領域の図式的平面図である。
【図１０】他の変形形態において、連続した複数フレームで表示画像上に重ねて表示される黒画像を、順を追って示す画像表示領域の図式的平面図である。
【図１１】液晶装置の全体構成を示す平面図である。
【図１２】図１１のＨ−Ｈ’断面図である。
【図１３】液晶装置を適用した電子機器の一例たるプロジェクタの構成を示す断面図である。
【図１４】液晶装置を適用した電子機器の一例たるパーソナルコンピュータの構成を示す断面図である。
【図１５】液晶装置を適用した電子機器の一例たる携帯電話の構成を示す断面図である。
【符号の説明】
【００９４】
１０ａ…画像表示領域、１０ｐ…画素部、１００Ｐ…電気光学パネル、１０１…データ線駆動回路、１０４…走査線駆動回路、１６０…パネル駆動回路、１７０…黒挿入制御回路、１８０…映像ソース
【図１】
2005049775.tif 000003
【図２】
2005049775.tif 000004
【図３】
2005049775.tif 000005
【図４】
2005049775.tif 000006
【図５】
2005049775.tif 000007
【図６】
2005049775.tif 000008
【図７】
2005049775.tif 000009
【図８】
2005049775.tif 000010
【図９】
2005049775.tif 000011
【図１０】
2005049775.tif 000012
【図１１】
2005049775.tif 000013
【図１２】
2005049775.tif 000014
【図１３】
2005049775.tif 000015
【図１４】
2005049775.tif 000016
【図１５】
2005049775.tif 000017